(57)【要約】【課題】  特定の消去処理を行って画像を印刷する際に、ユーザが望む位置にページ番号を印刷する。【解決手段】    画像が印刷されるシートに印刷すべきページ番号の印刷位置を設定する第１の設定手段と、前記シートに印刷される画像に対して特定の消去処理するための消去位置を設定する第２の設定手段と、前記第１の設定手段による印刷位置と、前記第２の設定手段による消去位置とが重なり合う位置に設定されているかを判断する判断手段と、前記判断手段が前記第１の設定手段によるページ番号の印刷位置と、前記第２の設定手段による消去位置とが重なり合う位置に設定されていると判断した場合、前記設定されたページ番号の位置の変更を通知する通知手段と、を備えることを特徴とする。【選択図】  図５
2015100951.tif 000002
【特許請求の範囲】
【請求項１】
画像が印刷されるシートに印刷すべきページ番号の印刷位置を設定する第１の設定手段と、
前記シートに印刷される画像に対して特定の消去処理するための消去位置を設定する第２の設定手段と、
前記第１の設定手段による印刷位置と、前記第２の設定手段による消去位置とが重なり合う位置に設定されているかを判断する判断手段と、
前記判断手段が前記第１の設定手段によるページ番号の印刷位置と、前記第２の設定手段による消去位置とが重なり合う位置に設定されていると判断した場合、前記設定されたページ番号の位置の変更を通知する通知手段と、
を備えることを特徴とする画像形成装置。
【請求項２】
前記シートに印刷すべき画像に対して前記第２の設定手段により設定された消去位置に特定の消去処理する画像処理手段と、
前記通知手段による通知後、前記ページ番号が前記画像処理手段による特定の消去処理で消されずに印刷したい印刷位置をユーザから受付ける受付手段と、
前記シートに前記画像処理手段により消去処理した画像を印刷するとともに、前記受付手段がユーザから受け付けた印刷位置にページ番号を印刷する印刷手段と、
を備えることを特徴とする請求項１に記載の画像形成装置。
【請求項３】
前記受付手段は、特定の消去処理で消される印刷位置を受付けないことを特徴とする請求項２記載の画像形成装置。
【請求項４】
原稿の画像を読み取る読取手段と、
前記受付手段は、前記読取手段が読み取る原稿の向きに基づいて特定の消去処理で消される印刷位置を受付けないことを特徴とする請求項２記載の画像形成装置。
【請求項５】
前記特定の消去処理は、枠消し処理と、綴じ代処理とを含むことを特徴とする請求項１記載の画像形成装置。
【請求項６】
前記枠消し処理は、原稿枠消し処理、ブック枠消し処理、パンチ穴消し処理とを含むことを特徴とする請求項５記載の画像形成装置。
【請求項７】
原稿の画像を読み取って画像処理を行う画像形成装置の制御方法であって、
画像が印刷されるシートに印刷すべきページ番号の印刷位置を設定する第１の設定工程と、
前記シートに印刷される画像に対して特定の消去処理するための消去位置を設定する第２の設定工程と、
前記第１の設定工程による印刷位置と、前記第２の設定工程による消去位置とが重なり合う位置に設定されているかを判断する判断工程と、
前記判断工程が前記第１の設定工程によるページ番号の印刷位置と、前記第２の設定工程による消去位置とが重なり合う位置に設定されていると判断した場合、前記設定されたページ番号の位置の変更を通知する通知工程と、
を備えることを特徴とする画像形成装置の制御方法。
【請求項８】
前記シートに印刷すべき画像に対して前記第２の設定工程により設定された消去位置に特定の消去処理する画像処理工程と、
前記通知工程による通知後、前記ページ番号が前記画像処理工程による特定の消去処理で消されずに印刷したい印刷位置をユーザから受付ける受付工程と、
前記シートに前記画像処理工程により消去処理した画像を印刷するとともに、前記受付工程がユーザから受け付けた印刷位置にページ番号を印刷する印刷工程と、
を備えることを特徴とする請求項７記載の画像形成装置の制御方法。
【請求項９】
請求項１乃至６のいずれか１項に記載の手段としてコンピュータを機能させるプログラム。
【発明の詳細な説明】
【技術分野】
【０００１】
本発明は、画像形成装置、画像形成装置の制御方法、及びプログラムに関するものである。
【背景技術】
【０００２】
近年、画像処理装置では、スタンプやページ番号などの印字機能や枠消し、綴じ代機能の様に特定の指定した領域部分にのみ画像処理を行う機能を複数有している。
【０００３】
従来の画像処理装置では、複数の機能を同時に設定することが可能である。しかし、ページ印字機能や枠消し機能を同時に設定する際に同じ位置へと設定した場合、枠消し機能で画像を白くした上にページ番号が印字されたり、ページ番号の位置が枠消し部分に重ならないように移動されて印字されたりする。各ユーザによって、重ねた位置に印字して出したい人や、位置を変更して出力したい人、位置自体は変更したくないが重ならないように印字したい人と希望の出力結果はそれぞれ異なってくる。そのため、画像処理装置によっては、ユーザの意図していた出力結果を得られない事があるという問題があった。
このような問題への対策として、画像処理装置によっては、機能の組合せによっては排他機能を設けて同時に設定できないようにしている事もある。
その他にも、複数の画像処理機能が同じ画像位置へと設定された場合は、自動的に画像処理装置が判断してページ印字の設定位置を変更する画像生成方法がある。（例えば、特許文献１参照）
【先行技術文献】
【特許文献】
【０００４】
【特許文献１】特開平７−１６８８１８号公報
【発明の概要】
【発明が解決しようとする課題】
【０００５】
しかしながら、特許文献１では自動的にページ印字の設定位置を変更させてしまっているため、変更後の画像が、本当にユーザが望んでいた通りの出力結果となっていない場合も考えられる。また、特許文献１では同じ位置に同時に設定されていた場合は、必ず自動で位置を変更してしまうため、本当に同じ位置に出力したいと望んでいるユーザに対しては、期待する出力結果を出す事が出来なくなる。これらの問題から、画像処理装置が自動で判断して設定位置を変更してしまうのでは、ユーザの意思を十分に反映させる事が出来ず不十分であった。
【０００６】
本発明は、上記の課題を解決するためになされたもので、本発明の目的は、特定の消去処理を行って画像を印刷する際に、ユーザが望む位置にページ番号を印刷できる仕組みを提供することである。
【課題を解決するための手段】
【０００７】
上記目的を達成する本発明の画像形成装置は以下に示す構成を備える。
画像が印刷されるシートに印刷すべきページ番号の印刷位置を設定する第１の設定手段と、前記シートに印刷される画像に対して特定の消去処理するための消去位置を設定する第２の設定手段と、前記第１の設定手段による印刷位置と、前記第２の設定手段による消去位置とが重なり合う位置に設定されているかを判断する判断手段と、前記判断手段が前記第１の設定手段によるページ番号の印刷位置と、前記第２の設定手段による消去位置とが重なり合う位置に設定されていると判断した場合、前記設定されたページ番号の位置の変更を通知する通知手段と、を備えることを特徴とする。
【発明の効果】
【０００８】
本発明によれば、特定の消去処理を行って画像を印刷する際に、ユーザが望む位置にページ番号を印刷できる。
【図面の簡単な説明】
【０００９】
【図１】画像処理システムの構成を説明する図である。
【図２】コントローラのハードウエア構成を示すシステムブロック図である。
【図３】画像形成装置の制御方法を説明するフローチャートである。
【図４】画像処理装置における画像処理状態を説明する図である。
【図５】画像形成装置の制御方法を説明するフローチャートである。
【図６】画像形成装置の制御方法を説明するフローチャートである。
【図７】操作部に表示されるＵＩ画面の一例を示す図である。
【図８】画像形成装置の制御方法を説明するフローチャートである。
【図９】操作部に表示されるＵＩ画面の一例を示す図である。
【図１０】画像形成装置の制御方法を説明するフローチャートである。
【図１１】操作部に表示されるＵＩ画面の一例を示す図である。
【発明を実施するための形態】
【００１０】
次に本発明を実施するための最良の形態について図面を参照して説明する。
＜システム構成の説明＞
〔第１実施形態〕
図１は、本発明の実施形態を示す画像処理装置を含む画像処理システムの構成を説明する図である。本例では、画像処理装置として、多機能周辺機器（ＭＦＰ  ：Ｍｕｌｔｉ−Ｆｕｎｃｔｉｏｎ  Ｐｅｒｉｐｈｅｒａｌ）を適用したシステム例である。以下、それぞれの構成要素について説明する。
図１において、コントローラ１０１は、多機能周辺機器の制御を行い、図２に示すハードウエア構成を有している。スキャナ１０２は、コントローラ１０１によって制御されている。
【００１１】
プリンタエンジン１０３は、コントローラ１０１によって制御されている。また、プリンタエンジン１０３はフィニッシャ１０４に接続されており、同プリンタエンジンから出力された複数の記録媒体（例えば、紙）をまとめてステイプル（ホッチキス）処理することが可能となっている。フィニッシャ１０４は、コントローラ１０１によって制御されている。
【００１２】
ネットワーク（イーサーネット）インタフェース１０５は、コントローラ１０１に対して同インタフェースを通した双方向通信を提供しており、ネットワーク越しにパソコン１０７との接続が可能となっている。
【００１３】
操作部１０６はユーザインタフェースであり、ＬＣＤディスプレイとキーボードから構成されており、コントローラ１０１からの情報表示を行うとともにユーザからの指示をコントローラ１０１に伝える。
また、Ｎｅｔｗｏｒｋ（Ｅｔｈｅｒｎｅｔ（登録商標），  ＴＣＰ／ＩＰ），  のどのインタフェースからでも、全ての機能を使用可能である。
【００１４】
図２は、図１に示したコントローラ１０１のハードウエア構成を示すシステムブロック図である。なお、本例は、ネットワーク２１３に接続されており、ＣＰＵ２０１と、バス２０２と、ＨＤＤ２０３と、プリンタ２０４と、スキャナ２０５と、液晶ディスプレイ（操作部）２０６を有する。また、キーボード（操作部）２０７と、ネットワークＩ／Ｆ２０８と、ＲＡＭ２０９と、ＲＯＭ２１０と、画像処理部２１１と、フィニッシャ２１２とを有する。以下、それぞれの構成要素について説明する。
【００１５】
コントローラ１０１の内部では、ＣＰＵ２０１は、ＨＤＤ２０３又はＲＯＭ２１０に格納されたプログラムを、ＲＡＭ２０９にロードすることによって多機能周辺機器全体の動作を制御する。また、ＣＰＵ２０１は、バス２０２を介して多機能周辺機器内の各構成要素である操作部２０６及び、キーボード（操作部）２０７と、ＲＡＭ２０９と、ＲＯＭ２１０と通信を行なう。
ＨＤＤ２０３は、ハードディスクを含むハードディスクドライブであり、入力された各種情報を格納する。印刷装置であるプリンタ２０４は、図１に示すプリンタエンジン１０３に対応するものであり、入力された画像データに基づく画像を、用紙上にプリントする。
【００１６】
読取装置であるスキャナ２０５は、図１に示すスキャナ１０２に対応するものであり、ユーザが原稿台にセットした原稿上の画像をカラー画像として読み取り、これによって得た画像データをＨＤＤ２０３、ＲＡＭ２０９等に蓄積する。また、スキャナ２０５は、原稿給送装置を含み、原稿給送装置にセットされた複数枚の原稿を順次原稿台上に給送し、読み取ることも可能である。
【００１７】
操作部２０６は、ユーザに通知すべき各種情報を表示する表示部であり、図１に示す操作部１０６を構成するものである。また、操作部２０６は、液晶上にタッチパネルシートが貼られており、システムの操作画面およびソフトキーを表示するとともに、表示してあるキーが押されるとその位置情報をＣＰＵ２０１に伝える。
【００１８】
キーボード（操作部）２０７は、ユーザが指示を行なうためのキーであり、図１に示す操作部１０６を構成するものである。ネットワークＩ／Ｆ２０８は、多機能周辺機器をネットワーク２１３に接続し、ネットワーク上の外部装置からのデータの受信、ネットワーク上の外部装置へのデータの送信を制御する。画像処理部２１１は、ＲＡＭ２０９に蓄積された画像データに対して、変倍、色変換などの画像処理を行なう。
【００１９】
本実施形態では、複数の画像処理機能を有する画像処理装置で、各ページにページ番号を記載する機能（以降ページ印字と呼ぶ）と指定された領域を綴じるための領域として白くする機能（以降綴じ代と呼ぶ）を同時に設定した場合を例に説明する。なお、本実施形態における画像処理に含まれる特定の消去処理は、枠消し処理と、綴じ代処理とを含む。また、上記枠消し処理には、原稿枠消し処理、ブック枠消し処理、パンチ穴消し処理を含むものとする。
【００２０】
図３は、本実施形態を示す画像形成装置の制御方法を説明するフローチャートである。本例は、ページ印字位置と綴じ代位置が重なっていた場合に、自動でページ印字位置を調整する方法に関する処理例である。なお、各ステップは、ＣＰＵ２０１がＨＤＤ２０３又はＲＯＭ２１０に記憶された制御プログラムをＲＡＭ２０９に読み出して実行することで実現される。
【００２１】
図４は、本実施形態を示す画像処理装置における画像処理状態を説明する図である。本例は、図３に示す処理により、ページ印字と綴じ代の印字位置が同じ位置に設定された場合の出力物の例を示している。
まず、Ｓ３０１において、ＣＰＵ２０１は、操作部１０６又はパソコン１０７からユーザの指示した同じ設定位置へのページ印字機能と綴じ代機能の設定を受け付ける。Ｓ３０２において、ＣＰＵ２０１は、事前に自動移動設定が設定されているか否かを判定する。判定した結果、設定されていないとＣＰＵ２０１が判断した場合はＳ３０３に進み、設定されていたとＣＰＵ２０１が判断した場合はＳ３０４に進む。
Ｓ３０３において、ＣＰＵ２０１は、設定を変更することなく、そのままプリント処理へと移行する。この時の出力物は図４の（ａ）の様な画像となる。
図４の（ａ）は、原稿の右側に設定した綴じ代４０１と右下ページ印字４０２の設定位置が重なっているため、ページ印字０４０２が綴じ代４０１内に印字されている様を示している。
しかし、デバイスの構成によっては、ページ印字がされた後に、綴じ代機能により指定領域の画像を白く処理してしまい、ページ印字が消えてしまう場合もある。
【００２２】
一方、Ｓ３０４では、ＣＰＵ２０１は、ページ印字の設定位置を設定された綴じ代の内側になるように自動で調整してプリント処理を行う。この時の出力物は図４の（ｂ）のようになる。図４の（ｂ）は、印字位置４０３が綴じ代内へと移動している様を示している。
本実施形態によれば、指定した画像領域に画像処理を施す機能が同じ位置に複数設定された場合に、ユーザにその無縁を警告するメッセージを操作部に表示して通知し、ユーザにより設定状態を確認してもらうことができる。さらに、現在の設定では特定の消去処理で消えてしまうページ番号を印刷するため、ユーザが意図するページ番号の印刷位置を受け付けることができる。これにより、ユーザの意図した位置にページ番号が印刷するとともに、特定の消去処理がなされた画像をシートに印刷することができる。
更に、本実施形態では、ページ番号の位置を自動的に特定の位置に移動させる設定を使用するので、ユーザに指示を再度仰ぐことなく自動的に印字位置を修正することも可能となる。
【００２３】
〔第２実施形態〕
本実施形態では、複数の画像処理機能を有する画像処理装置において、ページ印字機能と原稿の影やパンチ穴が黒く印刷されてしまうのを白く処理して消す機能（以降枠消しと呼ぶ）を同時に設定した場合を例に示す。
図５、本実施形態を示す画像形成装置の制御方法を説明するフローチャートである。本例は、ページ印字位置と枠消し位置（消去位置）が重なっていた場合に、ユーザの指示を仰ぐ方法に関する処理例である。なお、本実施形態では、第１実施形態で説明した自動移動設定は設定されていないものとする。また、各ステップは、ＣＰＵ２０１がＨＤＤ２０３又はＲＯＭ２１０に記憶された制御プログラムをＲＡＭ２０９に読み出して実行することで実現される。以下、ＣＰＵ２０１が特定の消去処理が設定された位置と、ページ番号の印刷位置とが重なることを通知後、ページ番号が特定の消去処理で消されずに印刷したい印刷位置をユーザから受付ける処理を説明する。
まず、Ｓ５０１において、ＣＰＵ２０１は、操作部１０６又はパソコン１０７からユーザの指示した枠消し設定を受け付ける。Ｓ５０２において、ＣＰＵ２０１は、操作部１０６又はパソコン１０７からユーザの指示したページ印字設定を受け付ける。
【００２４】
Ｓ５０３において、ＣＰＵ２０１は、Ｓ５０１とＳ５０２において受け付けた設定位置が重なっているか否かを判定する。この判定の結果、重なった位置であるとＣＰＵ２０１が判断した場合はＳ５０４へ、重なった位置でないとＣＰＵ２０１が判断した場合はＳ５０８へと進む。
なお、Ｓ５０３は、ＣＰＵ２０１が、Ｓ５０２の指示を受け付けた直後でもいいし、ユーザからジョブのスタート指示を受けた後としても良い。
Ｓ５０４において、ＣＰＵ２０１は、操作部２０６に図７の（ａ）に示す設定位置が重なってしまっている旨を知らせる忠告メッセージを表示する。
【００２５】
そして、Ｓ５０５において、ＣＰＵ２０１は、ユーザからそのままの設定位置で良いのか否かの指示を受け付ける。この時、そのままで良いとの指示を受け付けたとＣＰＵ２０１が判断した場合はＳ５０８へ、そのままでは良くないとの指示を受け付けたとＣＰＵ２０１が判断した場合はＳ５０６へ進む。
そして、Ｓ５０６において、ＣＰＵ２０１は、操作部２０６に図７の（ｂ）の様な枠消しの設定位置と位置が重ならない推奨印字位置を表示する。なお、図７の（ｂ）では、枠消し機能とページ印字機能が共に原稿の右側に設定されている場合の推奨印字位置を示している。
次に、Ｓ５０７において、ＣＰＵ２０１は、操作部１０６又はパソコン１０７からユーザの指示したページ印字の再設定を受け付けたとＣＰＵ２０１が判断した場合は、Ｓ５０３へ進む。そして、Ｓ５０８において、ＣＰＵ２０１は、プリント処理を行い、本処理を終了する。
【００２６】
図６は、本実施形態を示す画像形成装置の制御方法を説明するフローチャートである。本例は、枠消し機能とページ印字機能の設定順が図５とは逆であった場合の処理例である。なお、各ステップは、ＣＰＵ２０１がＨＤＤ２０３又はＲＯＭ２１０に記憶さたた制御プログラムをＲＡＭ２０９に読み出して実行することで実現される。
【００２７】
Ｓ６０１において、ＣＰＵ２０１は、操作部１０６又はパソコン１０７からユーザの指示したページ印字設定を受け付ける。Ｓ６０２において、ＣＰＵ２０１は、操作部１０６又はパソコン１０７からユーザの指示した枠消し設定を受付ける。
【００２８】
次に、Ｓ６０３において、ＣＰＵ２０１は、Ｓ６０１とＳ６０２において受け付けた設定位置が重なった位置であるか否かを判定する。この判定の結果、重なった位置であるとＣＰＵ２０１が判断した場合はＳ６０４へ、重なった位置でないとＣＰＵ２０１が判断した場合はＳ６０７へと進む。
なお、Ｓ６０３は、ＣＰＵ２０１が、Ｓ６０２の指示を受け付けた直後でもいいし、ユーザからジョブのスタート指示を受けた後としても良い。
そして、Ｓ６０４において、ＣＰＵ２０１は、操作部２０６に図７の（ａ）の様な設定位置が重なってしまっている旨を知らせる忠告文を表示する。
【００２９】
次に、Ｓ６０５において、ＣＰＵ２０１は、ユーザからそのままの設定位置で良いのか否かの指示を受け付ける。この時、そのままで良いとの指示を受け付けた場合はＳ６０７へ、そのままでは良くないとの指示を受け付けた場合はＳ６０６へ進む。
そして、Ｓ６０６において、ＣＰＵ２０１は、操作部２０６に図７の（ｂ）の様な枠消しの設定位置と位置がかぶらない推奨印字位置を表示する。そして、Ｓ６０７において、ＣＰＵ２０１は、プリント処理を行い、本処理を終了する。
【００３０】
〔第３実施形態〕
本実施形態では、複数の画像処理機能を有する画像処理装置において、ページ印字機能と綴じ代機能を同時に設定した場合の例を説明する。
図８は、本実施形態を示す画像形成装置の制御方法を説明するフローチャートである。本例は、ページ印字位置と枠消し位置が重なっていた場合に、必ずユーザに印字位置を再設定させる方法に関する処理例である。なお、各ステップは、ＣＰＵ２０１がＨＤＤ２０３又はＲＯＭ２１０に記憶された制御プログラムをＲＡＭ２０９に読み出して実行することで実現される。
まず、Ｓ８０１において、ＣＰＵ２０１は、操作部１０６又はパソコン１０７からユーザの指示した綴じ代設定とページ印字設定を受け付ける。
【００３１】
Ｓ８０２において、ＣＰＵ２０１は、Ｓ８０１において受け付けた設定位置が重なった位置であるか否かを判定する。この判定の結果、重なった位置であるとＣＰＵ２０１が判断した場合はＳ８０３へ、重なった位置でないとＣＰＵ２０１が判断した場合はＳ８０６へと進む。なお、Ｓ８０２は、ＣＰＵ２０１が、Ｓ８０１の指示を受け付けた直後でもいいし、ユーザからジョブのスタート指示を受けた後としても良い。
次に、Ｓ８０３において、ＣＰＵ２０１は、操作部２０６に図９（ａ）・（ｂ）の様なページ印字の再設定位置選択画面を表示する。
【００３２】
この時、図９の（ａ）の様に、第１実施形態で説明した綴じ代の内側へと印字位置を移動させる機能のボタン０９０１を備えた再設定画面を操作部２０６に表示させても良い。また、内側へ移動させるボタンのない図９の（ｂ）のような再設定画面を表示させても良い。
【００３３】
次に、Ｓ８０４において、ＣＰＵ２０１は、ユーザからページ印字位置の再設定指示を受け付けたとＣＰＵ２０１が判断した場合は、Ｓ８０６へ進み、再設定指示を受け付けていないとＣＰＵ２０１が判断した場合は、Ｓ８０５へ進む。そして、Ｓ８０５において、ＣＰＵ２０１は、Ｓ８０１において後から受け付けた機能の設定又は、Ｓ８０１において受け付けた両方の設定を取り消して、本処理を終了する。一方、Ｓ８０６において、ＣＰＵ２０１は、プリント処理を行い、本処理を終了する。
【００３４】
〔第４実施形態〕
本実施形態では、複数の画像処理機能を有する画像処理装置において、ページ印字機能と綴じ代機能や枠消し機能を複数組み合わせて設定する場合の例を説明する。
図１０は、本実施形態を示す画像形成装置の制御方法を説明するフローチャートである。本例は、ページ印字機能または、綴じ代機能や枠消し機能を設定した場合に、同じ領域に印字又は綴じ代等を設定できないようにさせる方法に関する処理例である。なお、各ステップは、ＣＰＵ２０１がＨＤＤ２０３又はＲＯＭ２１０に記憶さたた制御プログラムをＲＡＭ２０９に読み出して実行することで実現される。
【００３５】
図１１は、図２に示した操作部２０６に表示されるＵＩ画面の一例を示す図である。
なお、図１１の（ａ）は、当該画像処理装置において、枠消しが画像の左側にのみ設定された場合のページ印字機能の設定画面の例を示している。また、図１１の（ｂ−１）と図１１の（ｂ−２）は、ページ印字設定が原稿下に設定された場合の枠消し機能の設定画面の例を示している。
まず、Ｓ１００１において、ＣＰＵ２０１は、操作部１０６又はパソコン１０７からユーザの指示した枠消し設定を受け付ける。Ｓ１００２において、ＣＰＵ２０１は、操作部１０６又はパソコン１０７からユーザの指示したページ印字設定の選択を受け付ける。
【００３６】
Ｓ１００３において、ＣＰＵ２０１は、図１１の（ａ）の１１０１と１１０２に示すように、Ｓ１００１において設定された枠消し位置と重なるページ印字の設定位置をグレーアウトした状態でページ印字設定画面を操作部２０６に表示する。
図１０（ｂ）のＳ１０１１において、ＣＰＵ２０１は、操作部１０６又はパソコン１０７からユーザの指示したページ印字設定を受け付ける。そして、Ｓ１０１２において、ＣＰＵ２０１は、操作部１０６又はパソコン１０７からユーザの指示した枠消し設定の選択を受け付ける。
【００３７】
次に、Ｓ１０１３において、ＣＰＵ２０１は、図１１の（ｂ−１）に示すように、Ｓ１０１１において設定されたページ印字位置と重なる枠消しの種類をグレーアウトした状態で枠消しの種類選択画面１１１１を操作部２０６に表示する。
枠消しの種類選択後、次へボタン１１１２の押下により、図１１の（ｂ−２）に示す枠消しエリア設定画面へと遷移する。この時、ＣＰＵ２０１は、Ｓ１０１１において設定されたページ印字位置と重なる枠消しの設定位置の選択ボタン１１１３をグレーアウトした状態で枠消しの設定位置選択画面を操作部２０６に表示する。
各実施形態によれば、ページ番号の印刷位置と特定の消去処理が設定された位置とが重なる場合に、特定の消去処理を行って画像を印刷する際に、ユーザが望む位置にページ番号を印刷できる仕組みを提供することである。
【００３８】
本発明の各工程は、ネットワーク又は各種記憶媒体を介して取得したソフトウエア（プログラム）をパソコン（コンピュータ）等の処理装置（ＣＰＵ、プロセッサ）にて実行することでも実現できる。
【００３９】
本発明は上記実施形態に限定されるものではなく、本発明の趣旨に基づき種々の変形（各実施形態の有機的な組合せを含む）が可能であり、それらを本発明の範囲から除外するものではない。
【符号の説明】
【００４０】
１０１  コントローラ
１０２  スキャナ
１０３  プリンタエンジン
【図１】
2015100951.tif 000003
【図２】
2015100951.tif 000004
【図３】
2015100951.tif 000005
【図４】
2015100951.tif 000006
【図５】
2015100951.tif 000007
【図６】
2015100951.tif 000008
【図７】
2015100951.tif 000009
【図８】
2015100951.tif 000010
【図９】
2015100951.tif 000011
【図１０】
2015100951.tif 000012
【図１１】
2015100951.tif 000013